(57)【要約】      （修正有）【課題】ボイド型枠４０の上下端筋２、３内への取付けを容易にする。【解決手段】格子状の上下端筋２、３間の碁盤目状空間Ｓ内に発泡樹脂製ボイド型枠４０を配置して、コンクリートを打設した二方向コンクリートボイドスラブである。ボイド型枠４０は、円柱体４１の側面に平面視四角状となる突出係止部４２を設けたものとして、碁盤目状空間Ｓに入れ込み・回すことにより、上下端筋２、３に係止して取付ける。このように、入れ込み・回しによる取付けは、その作業性がすこぶる良い。このとき、係止部４２が上下端筋に発泡樹脂の弾力により係止するので、ボイド型枠４０が碁盤目状空間Ｓ内に確実に固定される。このため、コンクリート打設によるボイド型枠４０の浮き上がりはない。【選択図】図４
2005220571.tif 000002
【特許請求の範囲】
【請求項１】
格子状の上端筋２と同じく格子状下端筋３をその格子状内の碁盤目状空間Ｓが一致するように上下に間隔をもって並行に設け、その各空間Ｓ内に軽量ボイド型枠４０を配置して、コンクリートＣを打設した二方向コンクリートボイドスラブにおいて、
上記ボイド型枠４０は、上記碁盤目状空間Ｓにその周方向何れかの位置において上方から嵌り得て、かつ周方向に所要角度回転可能な大きさ及び形状の本体４１と、その本体４１から側方に突出する係止部４２とからなり、その係止部４２は、前記本体４１が碁盤目状空間Ｓに嵌り得る位置においてその空間Ｓに入り込み可能であり、その位置から前記所要角度内で周方向に回した他の何れかの位置において上記上端筋２下面に係止するように位置、大きさ及び形状が設定されていることを特徴とする二方向コンクリートボイドスラブ。
【請求項２】
上記ボイド型枠４０の本体４１は、上下端筋２、３間内の碁盤目状空間Ｓ内から上記上端筋２内の碁盤目状空間Ｓ内及び下端筋３内の碁盤目状空間Ｓ内に伸びていることを特徴とする請求項１記載の二方向コンクリートボイドスラブ。
【請求項３】
上記ボイド型枠４０の本体４１は、平面視、上記碁盤目状空間Ｓの長辺を長軸、短辺を短軸とする楕円形（丸形も含む）の柱状体からなり、上記係止部４２は、その本体４１側面から前記碁盤目状空間Ｓの対角線方向に突出する膨出部からなることを特徴とする請求項１又は２記載の二方向コンクリートボイドスラブ。
【請求項４】
請求項１乃至３の何れかに記載の二方向コンクリートボイドスラブを構築する方法であって、床型枠１に上記上端筋２と下端筋３を配置した後、その上端筋２と下端筋３の間の各碁盤目状空間Ｓにそれぞれ上記ボイド型枠４０を上方から嵌めてその周方向に回転することにより上記係止部４２を前記上端筋２の下面に係止させて、前記ボイド型枠４０の上端筋２と下端筋３の間から上方への抜け止めを行い、その後、コンクリートＣを打設することを特徴とする二方向コンクリートボイドスラブの構築方法。
【請求項５】
請求項１乃至３の何れかに記載の二方向コンクリートボイドスラブに使用するボイド型枠。
【発明の詳細な説明】
【技術分野】
【０００１】
この発明は、上下端筋間に碁盤目状に軽量ボイド型枠を配置した二方向コンクリートボイドスラブ、その構築方法及びそのボイド型枠に関するものである。
【背景技術】
【０００２】
この種の二方向コンクリートボイドスラブとして、例えば、図８に示すように、床型枠１に、上端筋２を格子状に配置するとともに、下端筋３を同じく格子状に配置し、その格子状内の各碁盤目状空間Ｓ内に発泡樹脂などからなる軽量ボイド４を配置して、コンクリートを打設した構造のものがある（特許文献１、２参照）。
【特許文献１】特表平６−５０２８９６号公報
【特許文献２】特開２００１−６４３９１号公報
【発明の開示】
【発明が解決しようとする課題】
【０００３】
この二方向コンクリートボイドスラブの構築において、コンクリート打設時、ボイド型枠４の浮き上がりを阻止して、そのボイド型枠４が上下端筋２、３の空間Ｓから抜け出ることを防止する必要がある。
従来では、その防止を、ボイド型枠４を上下端筋２、３に種々の手段により連結することにより行なっている。例えば、図８に示すように、上下端筋２、３に各碁盤目状空間Ｓを横切る補助筋５を掛け渡し、その補助筋５により各ボイド型枠４の上下面を抑えてその浮き上がりを防止するようにしている。
また、そのボイド型枠４上面に補助筋５を跨ぐ係止具６を差し込んで、その横方向の動きも阻止する様にしている。
【０００４】
しかし、補助筋５の配置は煩わしく、その補助筋５が必要でない場合にもその配置をしなくてはならず、無駄である。また、係止具６の入れ込みも煩わしい。
この発明は、ボイド型枠の上下端筋間内への取付けを容易にすることを課題とする。
【課題を解決するための手段】
【０００５】
上記課題を達成するために、この発明は、上下端筋間の碁盤目状空間に軽量ボイド型枠を入れ込み・回すことにより、そのボイド型枠を上端筋に係止して取付けるようにしたのである。
このように、入れ込み・回しによる取付けは、その作業性がすこぶる良い。
【発明の効果】
【０００６】
この発明は、上下端筋間の碁盤目状空間に軽量ボイド型枠を入れ込み・回すことにより、そのボイド型枠を端筋に係止して取付けるようにしたので、そのボイド型枠の上下端筋内への取付けを容易であり、その作業性が向上する。
【発明を実施するための最良の形態】
【０００７】
この発明の一実施形態としては、格子状の上端筋と同じく格子状下端筋をその格子状内の碁盤目状空間が一致するように上下に間隔をもって並行に設け、その前記各空間内に軽量ボイド型枠を配置して、コンクリートを打設した二方向コンクリートボイドスラブにおいて、前記ボイド型枠は、上記碁盤目状空間にその周方向何れかの位置において上方から嵌り得て、かつ周方向に所要角度回転可能な大きさ及び形状の本体と、その本体から側方に突出する係止部とからなり、その係止部は、前記本体が碁盤目状空間に嵌り得る位置においてその空間に入り込み可能であり、その位置から前記所要角度内で周方向に回した他の何れかの位置において上記上端筋下面に係止するように位置、大きさ及び形状が設定されている構成を採用できる。
【０００８】
この構成におけるコンクリート打設時、コンクリートによりボイド型枠には浮力が働いて上方への力が作用するが、係止部が上端筋下面に係止しているため、その上方の移動が阻止され、ボイド型枠は碁盤目状空間の所要位置でコンクリート内に固定される。
【０００９】
このとき、係止部を下端筋の上面にも係止するようにすれば、係止部が上下端筋の両者に係止するため、ボイド型枠が碁盤目状空間内の上下方向に抜ける恐れはなくなり、ボイド型枠は碁盤目状空間の所要位置でコンクリート内に確実に固定される。また、係止部が上下端筋に弾性をもって係止するようにすれば、その弾力により、ボイド型枠はより確実に上下端筋に取付けられる。その弾性は、ボイド型枠を発泡樹脂等の弾性体で形成することにより容易に得ることができる。ボイド型枠の材料としては、発泡樹脂、金属、樹脂などによる中空体、中実体などの周知の軽量物を適宜に採用する。
【００１０】
さらに、上記ボイド型枠の本体を、上下端筋間内の碁盤目状空間内から上端筋内の碁盤目状空間内及び下端筋内の碁盤目状空間内に伸びている物とすれば、ボイド型枠が碁盤目状空間内の横方向に抜ける恐れはなくなる。
【００１１】
上記ボイド型枠の本体の形状としては、碁盤目状空間にその周方向何れかの位置において上方から入れ込み得て、かつ周方向に所要角度回転可能なものならば、何れでもよく、例えば、上記平面視、碁盤目状空間の長辺を長軸、短辺を短軸とする楕円形（丸形も含む）の柱状体からなり、上記係止部は、その本体側面から前記碁盤目状空間の対角線方向に突出する膨出部からなる形状を採用できる。
【００１２】
この二方向コンクリートボイドスラブを構築するには、例えば、床型枠に上記上端筋と下端筋を配置した後、その上端筋と下端筋の間の各碁盤目状空間にそれぞれ上記ボイド型枠を上方から嵌めてその周方向に回転することにより上記係止部を前記上端筋の下面に係止させて、前記ボイド型枠の上端筋と下端筋の間から上方への抜け止めを行い、その後、コンクリートを打設する。
【実施例】
【００１３】
図１乃至図５に一実施例を示し、この実施例のボイド型枠４０は、中実の発泡樹脂からなり、その本体４１が円柱体で、その中程が平面視正方形となるようにその４側面に係止部４２が突出して設けられている。
この本体４１の径ａは、上下端筋２，３間の碁盤目状の正方形空間Ｓの一辺の長さとされ、係止部４２の外周面のなす平面視正方形はその碁盤目状の正方形空間Ｓの平面視と同じとなっている。このため、対向する（対角線方向の）係止部４２，４２の頂部間ｂはその辺長さａより長くなる。
【００１４】
したがって、図２（ａ）、図３（ａ）、図４（ａ）に示すように、このボイド型枠４０を各上下端筋２，３間の碁盤目状の正方形空間Ｓ内に嵌め込んで、同各（ｂ）に示すように、そのボイド型枠４０を９０度回し、係止部４２を上端筋２の下面及び下端筋３の上面に圧接状態で係止する。この後、必要に応じて補助筋などを配置し、コンクリートを打設する。
【００１５】
なお、上下端筋２、３は、従来と同様にして配置し、適宜な手段により、連結固定して碁盤目状空間Ｓが一致するように上下に間隔をもって並行に設ける。
【００１６】
ボイド型枠４０の形状としては、碁盤目状空間Ｓの大きさ・形状に合わせて、その周方向何れかの位置において上方から入れ込み得て、かつ周方向に所要角度回転可能なものならば何れでも良い。例えば、図６（ａ）に示すように、本体４１を四角柱、同（ｂ）に示すように楕円柱等とし得る。楕円柱のものは、碁盤目状空間Ｓ平面視長方形のものに適している。また、同図（ｃ）、（ｄ）に示すように、単なる正四角柱、楕円柱などでも、図７（ｃ）、（ｄ）に示すように上下端筋２、３間の空間内に配置することにより採用し得る。さらに、図６（ｅ）に示すように、下側の本体突出部は削除することもできる。その配置態様は図７（ｅ）のごとくとなる。
【図面の簡単な説明】
【００１７】
【図１】一実施例の概略斜視図
【図２】同実施例の作用平面図を示し、（ａ）はボイド型枠を碁盤状空間に入れ込んだ状態、（ｂ）は同ボイド型枠を碁盤状空間内で回して取付けた状態
【図３】同実施例の作用断面図を示し、（ａ）はボイド型枠を碁盤状空間に入れ込んだ状態、（ｂ）は同ボイド型枠を碁盤状空間内で回して取付けた状態
【図４】同実施例の作用説明用斜視図
【図５】同実施例のボイド型枠を示し、（ａ）は斜視図、（ｂ）は平面図
【図６】他のボイド型枠の各実施例の斜視図
【図７】同実施例の上下端筋間への配置状態概略斜視図
【図８】従来例の概略斜視図
【符号の説明】
【００１８】
１  床型枠
２  上端筋
３  下端筋
４０  ボイド型枠
４１  ボイド型枠本体
４２  ボイド型枠係止部
Ｓ  碁盤目状空間
【図１】
2005220571.tif 000003
【図２】
2005220571.tif 000004
【図３】
2005220571.tif 000005
【図４】
2005220571.tif 000006
【図５】
2005220571.tif 000007
【図６】
2005220571.tif 000008
【図７】
2005220571.tif 000009
【図８】
2005220571.tif 000010